(57)【要約】【課題】全開位置で蓋体が外れにくいゴミ箱の提供を目的とする。【解決手段】本開示のゴミ箱１０では、軸部５０が断面非円形で、かつ、軸孔３５から延びた通路３６の幅が、軸部５０の長手方向の長さよりも小さく、短手方向の長さよりも僅かに大きくなっていて、蓋体４０が閉位置と全開位置との途中位置に配されたときにのみ、軸部５０が通路３６を通過可能となる、即ち、蓋体４０が全開位置にあるときは、軸部５０が通路３６を通過できず、軸孔３５から抜けないので、全開位置で蓋体４０を外れにくくすることができる。【選択図】図２２
2020083566.tif 000002
【特許請求の範囲】
【請求項１】
ゴミ箱本体及び蓋体の一方に設けられた軸部が、他方に設けられた受容部の内側に受容され、前記蓋体が前記ゴミ箱本体に対して回動可能に支持されたゴミ箱において、
前記受容部の内外を径方向で連通し、かつ、前記受容部の内径よりも幅狭な軸通過部を備え、
前記軸部は、断面非円形をなし、前記蓋体が閉位置と全開位置との途中位置に配されたときのみ前記軸通過部を通過可能となるゴミ箱。
【請求項２】
前記軸通過部は、前記受容部の径方向に互いに平行に延びた１対の軸通過部側対向面を有し、
前記軸部は、前記蓋体が前記途中位置に配されたときに、前記１対の軸通過部側対向面と対向する１対の軸部側対向面を有している請求項１に記載のゴミ箱。
【請求項３】
前記蓋体と前記ゴミ箱本体とに設けられ、互いに当接して前記全開位置で前記蓋体の回動を規制するストッパを備え、
前記軸通過部は、前記全開位置において前記ストッパと前記軸部とを通る線に沿う方向に位置している請求項１又は２に記載のゴミ箱。
【請求項４】
前記全開位置において、前記軸部が前記軸通過部に向かう方向で、前記ストッパ同士が干渉し合う請求項３に記載のゴミ箱。
【請求項５】
前記蓋体には、前記軸部又は前記受容部と反対側の外縁部に、裏側へ突出した係止片と位置決め突部とが設けられ、
前記ゴミ箱本体には、前記閉位置における前記蓋体の前記係止片と係止する係止部と、前記位置決め突部を受容する位置決め孔と、が設けられている請求項１乃至４の何れか１の請求項に記載のゴミ箱。
【請求項６】
前記位置決め突部は、前記係止片の両側方に１つずつ配され、下端部が傾斜している請求項５に記載のゴミ箱。
【請求項７】
ゴミ箱本体及び蓋体の一方に設けられた軸部が、他方に設けられた受容部の内側に受容され、前記蓋体が前記ゴミ箱本体に対して回動可能に支持されたゴミ箱において、
前記受容部の内外を径方向で連通し、前記軸部が通過可能な軸通過部と、
前記蓋体と前記ゴミ箱本体とに設けられ、互いに当接して全開位置で前記蓋体の回動を規制するストッパと、を備え、
前記全開位置において、前記軸通過部は、前記ストッパと前記軸部とを通る線に沿う方向に位置し、かつ、前記軸部が前記軸通過部に向かう方向で、前記ストッパ同士が干渉し合うゴミ箱。
【発明の詳細な説明】
【技術分野】
【０００１】
本開示は、蓋体によって開閉可能なゴミ箱に関する。
【背景技術】
【０００２】
この種のゴミ箱として、ゴミ箱本体及び蓋体の一方に設けられた軸部が、他方に設けられた受容部の内側に受容され、蓋体がゴミ箱本体に対して回動可能に支持されたものが知られている（例えば、特許文献１参照）。
【先行技術文献】
【特許文献】
【０００３】
【特許文献１】特開２００７−２３０７２６号公報（図５）
【発明の概要】
【発明が解決しようとする課題】
【０００４】
上述した従来のゴミ箱においては、全開位置で蓋体に力がかかると蓋体が外れてしまうことが生じ得た。このため、全開位置で蓋体が外れにくいゴミ箱の開発が求められている。
【課題を解決するための手段】
【０００５】
上記目的を達成するためになされた請求項１の発明は、ゴミ箱本体及び蓋体の一方に設けられた軸部が、他方に設けられた受容部の内側に受容され、前記蓋体が前記ゴミ箱本体に対して回動可能に支持されたゴミ箱において、前記受容部の内外を径方向で連通し、かつ、前記受容部の内径よりも幅狭な軸通過部を備え、前記軸部は、断面非円形をなし、前記蓋体が閉位置と全開位置との途中位置に配されたときのみ前記軸通過部を通過可能となるゴミ箱である。
【０００６】
請求項２の発明は、前記軸通過部は、前記受容部の径方向に互いに平行に延びた１対の軸通過部側対向面を有し、前記軸部は、前記蓋体が前記途中位置に配されたときに、前記１対の軸通過部側対向面と対向する１対の軸部側対向面を有している請求項１に記載のゴミ箱である。
【０００７】
請求項３の発明は、前記蓋体と前記ゴミ箱本体とに設けられ、互いに当接して前記全開位置で前記蓋体の回動を規制するストッパを備え、前記軸通過部は、前記全開位置において前記ストッパと前記軸部とを通る線に沿う方向に位置している請求項１又は２に記載のゴミ箱である。
【０００８】
請求項４の発明は、前記全開位置において、前記軸部が前記軸通過部に向かう方向で、前記ストッパ同士が干渉し合う請求項３に記載のゴミ箱である。
【０００９】
請求項５の発明は、前記蓋体には、前記軸部又は前記受容部と反対側の外縁部に、裏側へ突出した係止片と位置決め突部とが設けられ、前記ゴミ箱本体には、前記閉位置における前記蓋体の前記係止片と係止する係止部と、前記位置決め突部を受容する位置決め孔と、が設けられている請求項１乃至４の何れか１の請求項に記載のゴミ箱である。
【００１０】
請求項６の発明は、前記位置決め突部は、前記係止片の両側方に１つずつ配され、下端部が傾斜している請求項５に記載のゴミ箱である。
【００１１】
請求項７の発明は、ゴミ箱本体及び蓋体の一方に設けられた軸部が、他方に設けられた受容部の内側に受容され、前記蓋体が前記ゴミ箱本体に対して回動可能に支持されたゴミ箱において、前記受容部の内外を径方向で連通し、前記軸部が通過可能な軸通過部と、前記蓋体と前記ゴミ箱本体とに設けられ、互いに当接して全開位置で前記蓋体の回動を規制するストッパと、を備え、前記全開位置において、前記軸通過部は、前記ストッパと前記軸部とを通る線に沿う方向に位置し、かつ、前記軸部が前記軸通過部に向かう方向で、前記ストッパ同士が干渉し合うゴミ箱である。
【発明の効果】
【００１２】
請求項１のゴミ箱では、蓋体が閉位置と全開位置との途中位置に配されたときにのみ、軸部が軸通過部を通過可能となる。即ち、蓋体が全開位置にあるときは、軸部が軸通過部を通過できず、受容部から抜けないので、全開位置で蓋体を外れにくくすることができる。
【００１３】
請求項２によれば、軸通過部の１対の軸通過部側対向面と軸部の１対の軸部側対向面とをそれぞれ対向させないと、軸部が軸通過部をスムーズに通過しないので、蓋体の回動途中で不意に外れてしまうことを抑制することができる。
【００１４】
蓋体を全開位置からさらに奥に回動させようとすると、軸部は、ストッパを支点に回動しようとして、ストッパと軸部とを結ぶ線と直交する方向に向かおうとする。これに対して、請求項３によれば、軸通過部が、ストッパと軸部とを通る線に沿う方向に位置しているので、蓋体を全開位置からさらに奥に回動させようとしても、軸部が受容部から抜けないようになる。
【００１５】
請求項４によれば、軸部が軸通過部に向かう方向でストッパ同士が干渉しあうので、軸部が軸通過部に向かうように全開位置の蓋体を移動させることが規制される。
【００１６】
請求項５によれば、閉位置の蓋体がゴミ箱本体に係止されるので、ゴミ箱の閉状態を安定させることができる。また、閉位置で、蓋体の位置決め突部がゴミ箱本体の位置決め孔に受容されているので、係止を安定させることができる。
【００１７】
請求項６によれば、位置決め突部が２つあるので、蓋体の係止をさらに安定させることができる。しかも、位置決め突部の下端部が傾斜しているので、蓋体を閉位置に向けて回動させるときに、位置決め突部が位置決め孔に案内され、係止片と係止部の位置も合いやすくなる。
【００１８】
蓋体を全開位置からさらに奥に回動させようとすると、軸部は、ストッパを支点に回動しようとして、ストッパと軸部とを結ぶ線と直交する方向に向かおうとする。これに対して、請求項７のゴミ箱では、軸通過部が、ストッパと軸部とを通る線に沿う方向に位置しているので、蓋体を全開位置からさらに奥に回動させようとしても、軸部が受容部から抜けないようになる。また、軸部が軸通過部に向かう方向でストッパ同士が干渉しあうので、軸部が軸通過部に向かうように全開位置の蓋体を移動させることが規制される。
【図面の簡単な説明】
【００１９】
【図１】本開示に係るゴミ箱の斜視図
【図２】ゴミ箱の一部拡大断面図
【図３】蓋体が全開位置に配されたゴミ箱の一部拡大斜視図
【図４】第２連結部近傍のゴミ箱本体の拡大斜視図
【図５】第１連結部近傍のゴミ箱本体の拡大斜視図
【図６】第１連結部近傍のゴミ箱本体の拡大裏面図
【図７】第２連結部近傍のゴミ箱本体の拡大裏面図
【図８】ゴミ箱同士が連結している状態の一部拡大裏面図
【図９】ゴミ箱同士が連結している状態の裏面図
【図１０】ゴミ箱同士が連結している状態の斜視図
【図１１】蓋体が閉位置に配されたゴミ箱の一部拡大斜視図
【図１２】蓋体が閉位置に配されたゴミ箱の一部拡大断面図
【図１３】ゴミ箱本体の一部拡大斜視図
【図１４】軸孔近傍のゴミ箱本体の拡大断面図
【図１５】軸孔近傍のゴミ箱本体の拡大斜視図
【図１６】軸孔近傍のゴミ箱本体の拡大断面図
【図１７】蓋体が全開位置に配されたゴミ箱の一部拡大斜視図
【図１８】蓋体の一部拡大斜視図
【図１９】蓋体の一部拡大斜視図
【図２０】蓋体が全開位置に配されたゴミ箱の一部拡大斜視図
【図２１】蓋体が全開位置に配されたゴミ箱の一部拡大断面図
【図２２】蓋体が全開位置に配されたゴミ箱の一部拡大断面図
【図２３】蓋体が傾斜姿勢になったゴミ箱の一部拡大断面図
【図２４】蓋体が傾斜姿勢になったゴミ箱の一部拡大断面図
【図２５】変形例に係るゴミ箱の斜視図
【発明を実施するための形態】
【００２０】
以下、図１〜図２４に示されたゴミ箱１０の実施形態について説明する。図１に示すように、本実施形態のゴミ箱１０は、ゴミ箱本体１１に蓋体４０をヒンジ部６０を介して回動可能に取り付けてなる。以降、ゴミ箱１０において、ヒンジ部６０が配されている側を「後」、反対側を「前」とし、前から見た「左」「右」を、ゴミ箱１０の「左」「右」とする。
【００２１】
ゴミ箱本体１１は、樹脂の成形品であって平面形状が長方形をなし、長方形の上面開口を有している。ゴミ箱本体１１の下端から上端に向かうに従って縦横の開口幅が徐々に大きくなるように各側壁１２が傾斜している。また、図２に示すように、底壁１３は、側壁１２の下端よりも僅かに上方に位置している。
【００２２】
図３に示すように、ゴミ箱本体１１における各側壁１２の上端部は、段付き状に拡径した段差部１４となっている。この段差部１４には、１対の袋止め１５が備えられている。詳細には、袋止め１５は、ゴミ箱本体１１の開口縁の左右方向に沿って延びた第１辺部１５Ａと、第１辺部１５Ａの両端から直角に曲がって延びた第２辺部１５Ｂとからなる平面「コ」の字状をなし、ゴミ箱本体１１の開口縁を前後方向で２分割した領域にそれぞれ沿うように配されている。袋止め１５は、水平方向に延び、段差部１４の段差壁１４Ａ上に載置される主板１６と、主板１６の内縁寄り位置全体から垂下する垂下壁１７と、主板１６における第２辺部１５Ｂの外縁のうち先端側部分から上方に起立した起立壁１８と、を有している。垂下壁１７は、側壁１２のうち段差壁１４Ａより下の段差下部１２Ａに隣接し、起立壁１８は、側壁１２のうち段差壁１４Ａより上の段差上部１２Ｂに隣接している。
【００２３】
起立壁１８の上面は、第２辺部１５Ｂの先端から第１辺部１５Ａ側へ水平に延びたのち、なだらかに下り、主板１６に連絡している。起立壁１８の先端上部には、外方へ突出した支持軸１８Ａが設けられている。図４に示すように、支持軸１８Ａは、円柱を溝１８Ｂによって二分割した形状をなし、その先端縁にはテーパ部１８Ｃが形成されている。また、ゴミ箱本体１１の側壁１２における上端部のうち前後方向の中央部には、貫通孔１２Ｈが形成されていて、この貫通孔１２Ｈに袋止め１５の支持軸１８Ａが内側から挿通することで、袋止め１５がゴミ箱本体１１に対して回動可能となっている。そして、図示しないゴミ袋を装着する際に、袋止め１５を起立させ、ゴミ袋の上端開口部を袋止め１５の外側を通してゴミ箱本体１１の中に入れた状態で、袋止め１５を段差部１４上に倒すことで、ゴミ袋が開口した状態で保持される。
【００２４】
図３に示すように、ゴミ箱本体１１の外側面の上端寄り位置には、周方向全体に亘ってフランジ２０が形成されている。フランジ２０のうちゴミ箱本体１１の左右に配された左辺部２０Ａ及び右辺部２０Ｂは、板厚２〜３枚分の幅をなし、段差壁１４Ａと面一になって水平に延びている。フランジ２０の左辺部２０Ａ及び右辺部２０Ｂと、左右の側壁１２における段差上部１２Ｂとの間は、それぞれ、４つの補強用縦リブ２１によって連絡されている。
【００２５】
ゴミ箱本体１１の左右の外側面のうちフランジ２０の下方には、前後方向の中央部に、ゴミ箱１０同士を連結するための第１及び第２の連結部２２，２３がそれぞれ設けられている。図５に示すように、左側の第１連結部２２は、フランジ２０の左辺部２０Ａの外縁よりも外方に位置し、左の側壁１２と対向するように延びた第１壁２２Ａを有している。第１壁２２Ａは横長の長方形板状をなし、鉛直方向と平行になっている。また、図６に示すように、第１連結部２２は、第１壁２２Ａと左の側壁１２との間を連絡する連絡壁２２Ｂを、前後方向に４つ並べて有している。外側の２つの連絡壁２２Ｂは、第１壁２２Ａの端部寄り位置に配され、内側の２つの連絡壁２２Ｂは、それぞれ外側の連絡壁２２Ｂ寄り位置に配されている。また、内側の２つの連絡壁２２Ｂは平坦に延びているのに対し、外側の２つの連絡壁２２Ｂは、側壁１２から第１壁２２Ａへ向かう途中、フランジ２０の外縁に重なる位置で内側へ屈曲し、クランク状をなしている。これにより、外側の連絡壁２２Ｂの屈曲部と第１壁２２Ａとの間に凹部２２Ｕが形成されている。
【００２６】
なお、図５に示すように、第１連結部２２には、第１壁２２Ａの上端と外側の２つの連絡壁２２Ｂの上端との間を連絡する上壁２２Ｅと、上壁２２Ｅの側壁１２側端部とフランジ２０の外縁と外側の２つの連絡壁２２Ｂの屈曲部との間を連絡する垂下壁２２Ｆと、が形成されている。
【００２７】
図４及び図７に示すように、右側の第２連結部２３は、右側の側壁１２から外方へ突出し、鉛直方向に延びた１対の第１壁２３Ａと、１対の第１壁２３Ａの先端から直角に屈曲し、互いに近づくように延びた第２壁２３Ｂと、を有する。第２壁２３Ｂは、フランジ２０の右辺部２０Ｂの外縁から鉛直下方に延びていて、第２連結部２３は、上方から見て、フランジ２０からはみ出さないように構成されている。また、１対の第１壁２３Ａ間の距離は、第１連結部２２の第１壁２２Ａの長さよりも僅かに長くなっていて、１対の第１壁２３Ａの間に第１連結部２２の第１壁２２Ａを受容可能になっている。第２壁２３Ｂの長さは、第１連結部２２の第１壁２２Ａのうち外側の連絡壁２２Ｂより外側部分と略同じ長さになっていて、１対の第１壁２３Ａ間に第１連結部２２の第１壁２２Ａが受容されたときに、第２壁２３Ｂが第１連結部２２の凹部２２Ｕに受容されるようになっている。
【００２８】
そして、２つのゴミ箱１０を横に並べ、右側のゴミ箱１０の第１連結部２２に、左側のゴミ箱１０の第２連結部２３を上から重ねると、図８〜１０に示すように、第２連結部２３の第２壁２３Ｂが第１連結部２２の凹部２２Ｕに受容され、連結部２２，２３同士が係合する。これにより、ゴミ箱１０同士が連結される。
【００２９】
図３に示すように、フランジ２０のうちゴミ箱本体１１の前方に配された前辺部２４は、側壁１２の上端より板厚１枚分程下方から水平に張り出した上帯壁２４Ａと、上帯壁２４Ａの外縁のうち左右方向の中央部から鉛直下方に垂下した垂下壁２４Ｂと、上帯壁２４Ａの外縁のうち左部と右部とから斜め下方に延びた１対の傾斜壁２４Ｃと、を有している。なお、垂下壁２４Ｂの下端からは、段差壁１４Ａと面一な突片２４Ｄが前方へ突出していて、傾斜壁２４Ｃの下端からは、下突片２４Ｅが下方へ突出している（図１２参照）。また、前辺部２４は、フランジ２０の左辺部２０Ａ及び右辺部２０Ｂから前方へ延長して延びた延長部２４Ｆ（図３参照）と、延長部２４Ｆと上帯壁２４Ａと傾斜壁２４Ｃとの間を連絡する連絡部２４Ｇと、傾斜壁２４Ｃと突片２４Ｄと垂下壁２４Ｂとの間を連絡する連絡部２４Ｈと、を有している。
【００３０】
図３及び図１１に示すように、垂下壁２４Ｂの外面のうち上端寄り位置には、中央部に、左右方向に延びた突条２６（特許請求の範囲の「係止部」に相当する）が形成されている。この突条２６の上面２６Ａ及び下面２６Ｂは、前後方向で傾斜している。また、１対の傾斜壁２４Ｃには、垂下壁２４Ｂ寄り位置に、四角形状の位置決め孔２７が一つずつ貫通形成されている。
【００３１】
図１３に示すように、フランジ２０のうちゴミ箱本体１１の後方に配された後辺部３０は、左端寄り位置から右端寄り位置にかけて下方へ陥没した陥没部３０Ａを有する形状になっている。詳細には、後辺部３０は、全体が左辺部２０Ａ及び右辺部２０Ｂより幅広になっていて、左右方向の両端部に配され、左辺部２０Ａ又は右辺部２０Ｂから延長して延びた端部壁３１と、２つの端部壁３１の間に配され、端部壁３１よりも下方で水平に延びた下壁３２と、端部壁３１と下壁３２と側壁１２との間を連絡して鉛直に延びた１対の連絡壁３３と、を有している。端部壁３１の上面とゴミ箱本体１１の外側面との間は、補強用縦リブ３１Ｌによって連絡されている。なお、図３及び図１４に示すように、後側の側壁１２における段差部１４のうち陥没部３０Ａの裏側に位置する部分は、陥没部３０Ａに合わせて陥没していて、当該部分の段差壁１４Ａは下壁３２と面一になっている。
【００３２】
図１３に示すように、下壁３２の上面には、外縁寄り位置に、外縁に沿って延びた断面略三角形状の突条３４が形成されている。そして、連絡壁３３の内側面には、蓋体４０を軸支するための軸孔３５（特許請求の範囲の「受容部」に相当する）が形成されている。図１４及び図１５に示すように、軸孔３５は、断面略円形の凹部である。また、連絡壁３３の内側面には、軸孔３５の内外を径方向で連通する通路３６（特許請求の範囲の「軸通過部」に相当する）が形成されている。通路３６は、軸孔３５の内径よりも狭い幅で、軸孔３５から斜め下方に延びている。この通路３６の延びる方向は、軸孔３５の中心と突条３４の頂部とを通る線に沿う方向になっている。なお、本願書類において「線に沿う方向」とは、その線を中心に±３０度の範囲内の方向をいうものとする。
【００３３】
通路３６は、底部３６Ａと、３６Ａの両側辺から起立し、互いに平行に延びた１対の対向面３６Ｂ，３６Ｃと、を有する。底部３６Ａのうち、軸孔３５側の端部には、通路３６内へ隆起した隆起部３７が形成されている（図１６参照）。また、図１５に示すように、
連絡壁３３には、通路３６の下端部の上方部分を切り欠いた切欠き部３８が形成されていて、この切欠き部３８により下側の対向面３６Ｃの下端部が斜め方向から見て露出している。
【００３４】
次に、蓋体４０について説明する。蓋体４０は、樹脂の成形品であって、図２に示すように、ゴミ箱本体１１の上面開口より一回り大きい四角形の天板部４１の外周縁からスカート部４３が延設されてなる。図１７に示すように、天板部４１の裏面４１Ａには、外縁に沿って、環状の二重壁４２が形成されている。この二重壁４２の隙間には、図示しないパッキンが受容されていて、蓋体４０がゴミ箱本体１１の上面開口を閉塞する閉位置に配されると、パッキンがゴミ箱本体１１の側壁１２の上端に突き当てられる。
【００３５】
図１１及び図１２に示すように、スカート部４３のうち、天板部４１の前辺部から延びる前板４３Ａは、外方へ向かうにつれて下るように傾斜し、さらにその先が僅かに水平に延びている。この前板４３Ａの裏面における天板部４１寄り位置のうち左右方向の中央部には、下方へ垂下した板状の係止片４４（図１１参照）が形成されていて、係止片４４の後側面の下端部には、上下に傾斜面を有する係止突条４４Ａが形成されている。この係止片４４は、蓋体４０が閉位置に配されると、ゴミ箱本体１１の垂下壁２４Ｂに外側から対向し、係止片４４における係止突条４４Ａの上側の傾斜面が、垂下壁２４Ｂにおける突条２６の下面２６Ｂに係止する。
【００３６】
また、図１８に示すように、係止片４４の両隣には、蓋体４０が閉位置に配されると、ゴミ箱本体１１の位置決め孔２７に受容される位置決め突部４５が形成されている。位置決め突部４５は、前後方向に平行な第１板４５Ａと、第１板４５Ａの両面から突出した第２板４５Ｂと、を有している。図１２に示すように、第１板４５Ａの外縁は、前板４３Ａの傾斜部から鉛直下方に延びた１対の鉛直部４５Ｅと、鉛直部４５Ｅから先窄みになるように傾斜した傾斜部４５Ｆと、傾斜部４５Ｆの下端同士を水平に結ぶ水平部４５Ｇと、を有している。鉛直部４５Ｅは、位置決め孔２７の開口内面に当接可能になっている。また、図１８に示すように、１対の第２板４５Ｂは、前板４３Ａと第１板４５Ａとを連絡し、その側面は、下方に向かうにつれて互いに近づくように傾斜している。
【００３７】
図１７に示すように、スカート部４３のうち天板部４１の左辺部及び右辺部から延びる側板４３Ｂは、下方に向かうにつれて外方へ広がるように傾斜している。そして、図５に示すように、蓋体４０が閉位置に配されると、スカート部４３の側板４３Ｂが、ゴミ箱本体１１のフランジ２０の外縁部に当接する。
【００３８】
図１９及び図２０に示すように、スカート部４３のうち、天板部４１の後辺部から延びる後板４３Ｃは、天板部４１に対して垂直に垂下している。この後板４３Ｃのうち左端寄り位置から右端寄り位置までの部分からは、さらに下方へ延長壁４７が垂下している。延長壁４７の左右両端には、二重壁４２の外側壁４２Ａ（図２０参照）と、後板４３Ｃとの間に差し渡され、天板部４１から延長壁４７（図１９参照）の下端部まで延びた垂下壁４９が設けられている。垂下壁４９の下端部は円弧を描いている。そして、垂下壁４９から軸部５０が側方にそれぞれ突出していて、軸部５０がゴミ箱本体１１の軸孔３５に受容されることで、上述したヒンジ部６０が構成されている。
【００３９】
図１９に示すように、軸部５０は、断面形状が円の両側部を平行に切り落とした形状をなし、互いに平行な１対の対向面５１と、対向面５１の端部同士を結ぶ１対の円弧面５２と、を有している。つまり、軸部５０においては、対向面５１と平行な方向が長手方向になっていて、対向面５１と直交する方向が短手方向となっている。ここで、図２２に示すように、ゴミ箱本体１１に形成された通路３６の幅は、軸部５０の長手方向の長さよりも小さく、短手方向の長さよりも僅かに大きくなっている。これにより、軸部５０は、長手方向と通路３６の１対の対向面３６Ｂ，３６Ｃとが平行になると、通路３６を通過可能となる一方、短手方向と通路３６の対向面３６Ｂ，３６Ｃとが平行になると、通路３６を通過不能となる。また、軸部５０は、通路３６の隆起部３７により抜け止めされている。
【００４０】
図１９に示すように、蓋体４０が水平に配された状態では、軸部５０の長手方向が前後方向を向き、短手方向が上下方向を向いている。これにより、蓋体４０が閉位置に配されると、軸部５０の１対の対向面５１と、通路３６の１対の対向面３６Ｂ，３６Ｃとは非平行になる。そして、蓋体４０を開いて回動していくと、途中位置で、対向面３６Ｂ，３６Ｃ，５１同士が平行になったのち（図２４参照）、再び非平行になり、その後、蓋体４０が突条３４の頂部に当接して（蓋体４０と突条３４とのうち互いに当接する部分が特許請求の範囲の「ストッパ」に相当する）、全開位置に位置決めされる（図２１参照）。このとき、蓋体４０と突条３４とが干渉し合う方向は、軸部５０が通路３６に向かう方向に沿っている。また、蓋体４０が全開位置に配されている状態においても、軸部５０の１対の対向面５１と、通路３６の１対の対向面３６Ｂ，３６Ｃとは非平行になっている（図２２参照）。
【００４１】
本実施形態のゴミ箱１０の構成に関する説明は以上である。次に、ゴミ箱１０の作用効果について説明する。図１に示すようにゴミ箱１０が全開の状態から蓋体４０を閉めるときは、蓋体４０を回動させてゴミ箱本体１１の上面開口に重なるようにする。そして、蓋体４０の前端部をゴミ箱本体１１に上方から押し付けると、係止片４４の係止突条４４Ａにおける下側の傾斜面とゴミ箱本体１１における突条２６の上面２６Ａとの摺接により係止片４４が外側に弾性変形する。そして、係止突条４４Ａがゴミ箱本体１１の突条２６を通過すると係止片４４が弾性復帰し、蓋体４０がゴミ箱本体１１に係止され、ゴミ箱１０が閉状態に保持される。このとき、蓋体４０の位置決め突部４５がゴミ箱本体１１の位置決め孔２７に受容されているので、蓋体４０が左右方向にずれることも防がれる。また、蓋体４０を閉める際に、蓋体４０が左右方向や前後方向で多少ずれていても、位置決め突部４５の下端部が傾斜しているので、位置決め突部４５が位置決め孔２７内に案内され、これにより、蓋体４０の係止片４４がゴミ箱本体１１の突条２６へ誘導される。なお、ゴミ箱１０が閉状態になると、蓋体４０の二重壁４２内の図示しないパッキンが側壁１２の上端に押し潰されて密閉される。
【００４２】
蓋体４０を開くときは、蓋体４０の係止片４４をを外方へ撓ませて、係止を解除し、蓋体４０を後側へ回動する。すると、途中位置で、対向面３６Ｂ，３６Ｃ，５１同士が平行になったのち、再び非平行になり、その後、ゴミ箱本体１１の突条３４に蓋体４０が当接して、蓋体４０が全開位置に位置決めされる。
【００４３】
ゴミ箱１０の製造時等に、蓋体４０は、以下のようにしてゴミ箱本体１１に取り付けられる。即ち、図２３に示すように、軸部５０の１対の対向面５１と通路３６の１対の対向面３６Ｂ，３６Ｃとが平行になるように、蓋体４０を傾斜姿勢にし、軸部５０を切欠き部３８から下側の対向面３６Ｃ上に載置する。そして、蓋体４０を傾斜姿勢のまま斜め上に移動させ、軸部５０に隆起部３７を乗り越えさせて、軸部５０を軸孔３５に受容させる（図２４参照）。蓋体４０を取り外す際は、反対に、蓋体４０を傾斜姿勢にしてか斜め下に移動させ、軸部５０に隆起部３７を乗り越えさせて取り外しされる。
【００４４】
ところで、蓋体がゴミ箱本体に対して回動するゴミ箱においては、全開位置で蓋体に力がかかると意図せず蓋体が外れてしまうことが問題になり得た。これに対して、本実施形態のゴミ箱１０では、軸部５０が断面非円形で、かつ、軸孔３５から延びた通路３６の幅が、軸部５０の長手方向の長さよりも小さく、短手方向の長さよりも僅かに大きくなっていて、蓋体４０が閉位置と全開位置との途中位置に配されたときにのみ、軸部５０が通路３６を通過可能となる、即ち、蓋体４０が全開位置にあるときは、軸部５０が通路３６を通過できず、軸孔３５から抜けないので、全開位置で蓋体４０を外れにくくすることができる。
【００４５】
しかも、軸部５０が１対の対向面５１を有するとともに、通路３６も１対の対向面３６Ｂ，３６Ｃを有しており、対向面３６Ｂ，３６Ｃ，５１同士をそれぞれ対向させた状態で平行移動させないと軸部５０が通路３６をスムーズに通過しないので、蓋体４０が回動途中で不意に外れてしまうことを抑制することができる。
【００４６】
ここで、蓋体４０を全開位置からさらに奥に回動させようとすると、軸部５０は、突条３４の頂部（蓋体４０と当接している部分）を支点に回動しようとして、突条３４の頂部と軸部５０とを結ぶ線と直交する方向に向かおうとする。これに対して、本実施形態では、通路３６が、突条３４の頂部と軸部５０とを通る線に沿う方向に位置しているので、蓋体４０を全開位置からさらに奥に回動させようとしても、軸部５０が軸孔３５から抜けないようになる。また、軸部５０が通路３６に向かう方向で突条３４と蓋体４０とが干渉しあうので、軸部５０が通路３６に向かうように全開位置の蓋体４０を移動させることが規制される。
【００４７】
［他の実施形態］
（１）軸部５０の断面は、楕円や長円、長方形等の他の扁平な形状であってもよい。また、正方形であっても、通路３６の幅が正方形の対角線よりも短ければ、軸孔３５から抜けないようにすることができる。
【００４８】
（２）また、軸部５０の断面が円形であっても、通路３６が、突条３４の頂部と軸部５０とを通る線に沿う方向に位置していれば、軸部５０が軸孔３５から抜けないようにすることができる。
【００４９】
（３）上記実施形態では、軸孔３５の内外を連通するのが１対の対向面３６Ｂ，３６Ｃを有する通路３６であったが、単なる開口であってもよい。
【００５０】
（４）上記実施形態では、蓋体４０に軸部が配され、ゴミ箱本体１１に軸孔が配されていたが、逆であってもよい。
【００５１】
（５）図２５に示すように、容器７０に嵌合する蓋体支持枠７１に蓋体４０が取り付けられた構成であってもよい。この場合、容器７０と蓋体支持枠７１とからゴミ箱本体１１が構成される。
【符号の説明】
【００５２】
１０    ゴミ箱
１１    ゴミ箱本体
２６    突条（係止部）
２７    位置決め孔
３４    突条
３５    軸孔（受容部）
３６    通路（軸通過部）
３６Ａ    底部
３６Ｂ，３６Ｃ    対向面
３７    隆起部
３８    切欠き部
４０    蓋体
４３    スカート部
４４    係止片
４４Ａ    係止突条
４５    位置決め突部
５０    軸部
５１    対向面
６０    ヒンジ部
【図１】
2020083566.tif 000003
【図２】
2020083566.tif 000004
【図３】
2020083566.tif 000005
【図４】
2020083566.tif 000006
【図５】
2020083566.tif 000007
【図６】
2020083566.tif 000008
【図７】
2020083566.tif 000009
【図８】
2020083566.tif 000010
【図９】
2020083566.tif 000011
【図１０】
2020083566.tif 000012
【図１１】
2020083566.tif 000013
【図１２】
2020083566.tif 000014
【図１３】
2020083566.tif 000015
【図１４】
2020083566.tif 000016
【図１５】
2020083566.tif 000017
【図１６】
2020083566.tif 000018
【図１７】
2020083566.tif 000019
【図１８】
2020083566.tif 000020
【図１９】
2020083566.tif 000021
【図２０】
2020083566.tif 000022
【図２１】
2020083566.tif 000023
【図２２】
2020083566.tif 000024
【図２３】
2020083566.tif 000025
【図２４】
2020083566.tif 000026
【図２５】
2020083566.tif 000027